(57)【要約】【課題】受信装置で初期再生処理に必要なデータの送信処理に係る負荷を低減すると共に通信手順を簡略化することができ、配信装置に割当てるグループアドレス数を削減することができる。【解決手段】送受信部１１は第１のチャネルに対応する第１のマルチキャストグループのコンテンツデータを受信する。コンテンツデータ記憶部１２は受信された第１のマルチキャストグループのコンテンツデータを記憶する。送信データ生成部１３は、記憶手段から第１のマルチキャストグループのコンテンツデータを読み出し、一定時間遅延させる。送受信部１１は、遅延させたコンテンツデータを、マルチキャスト受信装置で初期再生処理に必要な第２のマルチキャストグループのコンテンツデータとして、第１のマルチキャストグループと異なるソースアドレスかつ第１のマルチキャストグループと同一のマルチキャストアドレスである第２のマルチキャストグループで送信する。【選択図】図２
2008263489.tif 000002
【特許請求の範囲】
【請求項１】
マルチキャスト方式で複数のチャネルを提供するシステムにおけるマルチキャスト配信装置であり、
第１のチャネルに対応する第１のマルチキャストグループのコンテンツデータを受信する受信手段と、
受信された前記第１のマルチキャストグループのコンテンツデータを記憶する記憶手段と、
前記記憶手段から前記第１のマルチキャストグループのコンテンツデータを読み出し、一定時間遅延させる遅延手段と、
該遅延させたコンテンツデータを、マルチキャスト受信装置で初期再生処理に必要な第２のマルチキャストグループのコンテンツデータとして、前記第１のマルチキャストグループと異なるソースアドレスかつ前記第１のマルチキャストグループと同一のマルチキャストアドレスである第２のマルチキャストグループで送信する送信手段と、
を備えたことを特徴とするマルチキャスト配信装置。
【請求項２】
マルチキャスト方式で複数のチャネルを提供するシステムにおけるマルチキャスト配信装置であり、
第１のチャネルに対応する第１のマルチキャストグループのコンテンツデータを受信する受信手段と、
受信された前記第１のマルチキャストグループのコンテンツデータを記憶する記憶手段と、
前記記憶手段から前記第１のマルチキャストグループのコンテンツデータを読み出し、マルチキャスト受信装置で初期再生処理に必要な第２のマルチキャストグループのコンテンツデータとして、前記第１のマルチキャストグループのコンテンツデータよりも高速に、前記第１のマルチキャストグループと異なるソースアドレスかつ前記第１のマルチキャストグループと同一のマルチキャストアドレスである第２のマルチキャストグループで送信する送信手段と、
を備えたことを特徴とするマルチキャスト配信装置。
【請求項３】
マルチキャスト方式で複数のチャネルを提供するシステムにおけるマルチキャスト受信装置であり、
同一のマルチキャストアドレスである第１のマルチキャストグループと第２のマルチキャストグループの２つのコンテンツデータを１つの命令で受信する受信手段と、
該受信したマルチキャストグループのコンテンツデータを記憶する記憶手段と、
初期再生処理に必要なすべての前記コンテンツデータが前記記憶手段に記憶された場合、第２のマルチキャストグループからのコンテンツデータの受信を切断する切断手段と、
を備えたことを特徴とするマルチキャスト受信装置。
【発明の詳細な説明】
【技術分野】
【０００１】
本発明は、マルチキャスト配信装置およびマルチキャスト受信装置に関する。
【背景技術】
【０００２】
近年、ブロードバンド通信網の発達によって、大容量の映像コンテンツをＩＰ（Internet Protocol）網経由で配信するサービスの要求が高まっている。その映像コンテンツ配信サービスにおいて、予め配信時間が決められている場合には、ＩＰマルチキャスト方式によって同じ映像コンテンツを同時に且つ多数の視聴者へ効率的に配信することができる。
【０００３】
例えば、インターネットを利用したテレビ放送（以下、「インターネットテレビ放送（ＩＰＴＶ）」と記載）では、一サービスとして、番組表に従って複数のチャネルで各々の番組が同時に配信されている（放送波の場合と同等）。ＩＰＴＶでは、各チャネルで別々のマルチキャストアドレスを用いることにより、複数のチャネルの各々に対応するマルチキャストトグループが構成されている。各チャネルの切替は、新たに視聴するチャネルのマルチキャストグループに参加することで行われる。これにより、視聴者は、ＩＰＴＶ受像機で任意のチャネルを選択することができ、自由にチャネルを切り替えて各チャネルの番組を視聴することができる。
【０００４】
チャネル切替時には、ＩＰＴＶ受像機におけるデータ蓄積等の要因で、新たなチャネルの番組再生の開始に遅れが生じる。例えば、デジタル圧縮符号化された映像コンテンツの復号用データの蓄積や、伝送誤り対策の誤り訂正符号の復号のためのデータ蓄積等、もしくはデータ到達間隔のゆらぎを補正するための再生バッファリング等に時間がかかっている。このため、迅速なチャネル切替を実現するためのチャネル切替技術が特許文献１，２および非特許文献１に開示されている。
【特許文献１】特開２００４−８０７８５号公報
【特許文献２】特開２００５−１２４１９３号公報
【非特許文献１】「複数マルチキャストを用いたIP放送のチャネル切替時間短縮手法の提案」電子情報通信学会総合大会，B-6-33，Mar. 2007
【発明の開示】
【発明が解決しようとする課題】
【０００５】
特許文献１，２に開示された従来のチャネル切替技術では、各視聴者からの新たなチャネルへの切替要求に対し、チャネル切替用配信サーバが個々に応答して、ビデオデータをユニキャストで送信する。このため、各視聴者のチャネル切替に対する個別のデータ送信処理が発生し、多数の視聴者から同時にチャネル切替要求があった場合には、チャネル切替用配信サーバに多大な負荷がかかる。さらに、従来のチャネル切替技術では、新たなチャネルへの切替要求と、チャネル切替用配信サーバからの通信に対する応答とを視聴者からチャネル切替用配信サーバに対して送信する必要があり、新たなマルチキャストグループへの参加のみの単純な通信手順でチャネル切替を実現することができず、通信手順が複雑である。
非特許文献１に開示された従来のチャネル切替技術では、配信サーバとチャネル切替用配信サーバ（遅延サーバ）にそれぞれ別のグループアドレスを割り当てる必要がある。また、チャネル切替時に視聴者装置が配信サーバとチャネル切替用サーバとにＪｏｉｎメッセージをそれぞれ送信する必要がある。
【０００６】
本発明は、上述した課題に鑑みてなされたものであって、受信装置で初期再生処理に必要なデータの送信処理に係る負荷を低減すると共に通信手順を簡略化することができ、配信装置に割当てるマルチキャストアドレス数を削減すると共にチャネル切替時に視聴者装置がネットワークに送信するＪｏｉｎメッセージ数を削減することができるマルチキャスト配信装置およびマルチキャスト受信装置を提供することを目的とする。
【課題を解決するための手段】
【０００７】
本発明は、マルチキャスト方式で複数のチャネルを提供するシステムにおけるマルチキャスト配信装置であり、第１のチャネルに対応する第１のマルチキャストグループのコンテンツデータを受信する受信手段と、受信された前記第１のマルチキャストグループのコンテンツデータを記憶する記憶手段と、前記記憶手段から前記第１のマルチキャストグループのコンテンツデータを読み出し、一定時間遅延させる遅延手段と、該遅延させたコンテンツデータを、マルチキャスト受信装置で初期再生処理に必要な第２のマルチキャストグループのコンテンツデータとして、前記第１のマルチキャストグループと異なるソースアドレスかつ前記第１のマルチキャストグループと同一のマルチキャストアドレスである第２のマルチキャストグループで送信する送信手段と、を備えたことを特徴とするマルチキャスト配信装置である。
【０００８】
また、本発明は、マルチキャスト方式で複数のチャネルを提供するシステムにおけるマルチキャスト配信装置であり、第１のチャネルに対応する第１のマルチキャストグループのコンテンツデータを受信する受信手段と、受信された前記第１のマルチキャストグループのコンテンツデータを記憶する記憶手段と、前記記憶手段から前記第１のマルチキャストグループのコンテンツデータを読み出し、マルチキャスト受信装置で初期再生処理に必要な第２のマルチキャストグループのコンテンツデータとして、前記第１のマルチキャストグループのコンテンツデータよりも高速に、前記第１のマルチキャストグループと異なるソースアドレスかつ前記第１のマルチキャストグループと同一のマルチキャストアドレスである第２のマルチキャストグループで送信する送信手段と、を備えたことを特徴とするマルチキャスト配信装置である。
【０００９】
また、本発明は、マルチキャスト方式で複数のチャネルを提供するシステムにおけるマルチキャスト受信装置であり、同一のマルチキャストアドレスである第１のマルチキャストグループと第２のマルチキャストグループの２つのコンテンツデータを１つの命令で受信する受信手段と、該受信したマルチキャストグループのコンテンツデータを記憶する記憶手段と、初期再生処理に必要なすべての前記コンテンツデータが前記記憶手段に記憶された場合、第２のマルチキャストグループからのコンテンツデータの受信を切断する切断手段と、を備えたことを特徴とするマルチキャスト受信装置である。
【発明の効果】
【００１０】
本発明によれば、受信装置で初期再生処理に必要なデータの送信処理に係る負荷を低減すると共に通信手順を簡略化することができ、配信装置に割当てるマルチキャストアドレス数を削減すると共にチャネル切替時に視聴者装置が配信サーバに送信するｊｏｉｎメッセージ数を削減することができる。
【発明を実施するための最良の形態】
【００１１】
以下、図面を参照し、本発明の実施形態を説明する。図１は、本発明の一実施形態によるＩＰＴＶシステムの構成を示すブロック図である。図１において、チャネル切替用マルチキャスト配信サーバ１、コンテンツ配信サーバ２、および視聴者装置３は、ＩＰマルチキャスト対応の通信ネットワーク４に接続されている。
チャネル切替用マルチキャスト配信サーバ１のソースアドレスはＳであり、コンテンツ配信サーバ２のソースアドレスはＳ１である。マルチキャストアドレスはＧであり、チャネルごとに割当てられている。
本実施形態ではマルチキャストを実施するためのプロトコルとしてＩＧＭＰｖ３またはＭＬＤｖ２のような、受信者がマルチキャストグループを指定する際にマルチキャストを行う送信者を指定可能なプロトコルを使用する。よってマルチキャストグループは、ソースアドレスとマルチキャストアドレスの組み合わせで一意に決まる。チャネル切替用マルチキャスト配信サーバ１がマルチキャストアドレスＧを使用する場合のチャネル切替用マルチキャストグループ（チャネル切替用マルチキャストＧｐ，第２のマルチキャストグループ）２００は（Ｓ１，Ｇ）である。コンテンツ配信サーバ２がマルチキャストアドレスＧを使用する場合のマルチキャストグループ（マルチキャストＧｐ，第１のマルチキャストグループ）１００は（Ｓ，Ｇ）である。
【００１２】
コンテンツ配信サーバ２は、ＩＰ放送で提供する番組のコンテンツデータをマルチキャストグループ１００（Ｓ，Ｇ）のマルチキャスト形式で、通信ネットワーク４を介して各視聴者装置３に配信する。各チャネルは異なるマルチキャストアドレスＧとマルチキャストグループ１００（Ｓ，Ｇ）を有する。チャネル切替用マルチキャスト配信サーバ１は、コンテンツ配信サーバ２から直接マルチキャストグループ１００（Ｓ，Ｇ）のコンテンツデータを受信し、そのコンテンツデータから生成したチャネル切替用マルチキャストグループ２００（Ｓ１，Ｇ）のコンテンツデータをマルチキャスト形式で送信する。チャネル切替用マルチキャスト配信サーバ１が生成するコンテンツデータについては後述する。なお、チャネル切替用マルチキャスト配信サーバ１は、通信ネットワーク４を介してマルチキャストグループ１００（Ｓ，Ｇ）に参加し、通信ネットワーク４からマルチキャストグループ１００（Ｓ，Ｇ）のコンテンツデータを受信するようにしてもよい。
視聴者装置３は、ＩＰ放送で提供されるあるチャネルのコンテンツデータをマルチキャストグループ１００（Ｓ，Ｇ）のマルチキャスト形式で受信する。
【００１３】
ここで、チャネル切替が発生した場合、視聴者装置３は新たなチャネルのマルチキャストグループ１００（Ｓ，Ｇ）および当該新たなチャネルへのチャネル切替用マルチキャストグループ２００（Ｓ１，Ｇ）への参加（ｊｏｉｎ）命令を通信ネットワーク４に送信する。参加命令に含まれるマルチキャストグループを指定する際、明示的にソースアドレスを指定しないことでソースアドレスはアスタリスク（＊）となり送信元を特定せずマルチキャストアドレスが一致した全てのマルチキャストグループに参加できる。すなわち、視聴者装置３は（＊，Ｇ）ｊｏｉｎ１１０を通信ネットワーク４に送信することで視聴者装置３は新たなチャネルのマルチキャストグループ１００（Ｓ，Ｇ）のコンテンツデータと、当該新たなチャネルへのチャネル切替用マルチキャストグループ２００（Ｓ１，Ｇ）のコンテンツデータとを受信する。
視聴者装置３はコンテンツデータを受信し再生バッファへのデータ充填が完了した場合、チャネル切替用マルチキャストグループ２００（Ｓ１，Ｇ）の通信を切断する切断命令（Ｓ１，Ｇ）ｌｅａｖｅ２１０を通信ネットワーク４に送信する。これにより、視聴者装置３は、チャネル切替用マルチキャストグループ２００（Ｓ１，Ｇ）との通信を切断する。
【００１４】
なお、ＩＧＭＰｖ３では、ｊｏｉｎの代わりにＩＮＣＬＵＤＥ、ｌｅａｖｅの代わりにＥＸＣＬＵＤＥという命令で運用されるが、本実施形態の説明ではｊｏｉｎおよびｌｅａｖｅを使用する。例えば、（Ｓ，Ｇ）ｊｏｉｎは（Ｇ，ＩＮＣＬＵＤＥ，Ｓ）であり、（Ｓ，Ｇ）ｌｅａｖｅは（Ｇ，ＥＸＣＬＵＤＥ，Ｓ）である。また、ｊｏｉｎ、ＩＮＣＬＵＤＥ、ｌｅａｖｅ、ＥＸＣＬＵＤＥにはソースアドレスを明示的に複数指定することも可能である。例えば、視聴者装置３は新たなチャネルのマルチキャストグループ１００（Ｓ，Ｇ）および当該新たなチャネルへのチャネル切替用マルチキャストグループ２００（Ｓ１，Ｇ）への参加の際、参加命令内にソースアドレスを明示的に指定する形式である（｛Ｓ，Ｓ１｝ｊｏｉｎ）もしくは（Ｇ，ＩＮＣＬＵＤＥ，｛Ｓ，Ｓ１｝）を通信ネットワーク４に送信することも可能である。
【００１５】
上述したとおり、本発明を利用したマルチキャスト配信は、チャネル切替用マルチキャスト配信サーバ１が使用するマルチキャストアドレスとコンテンツ配信サーバ２が使用するマルチキャストアドレスを同一のマルチキャストアドレスとして配信することが可能である。これにより、ネットワークで管理するマルチキャストアドレス数の削減を図ることができる。また、チャネル切替時に視聴者装置３が通信ネットワーク４に送信するｊｏｉｎメッセージ数を削減することができる。また、視聴者装置３は再生バッファへのデータ充填が完了した場合、チャネル切替用マルチキャストグループ２００（Ｓ１，Ｇ）との通信を切断するため、通常再生時にはチャネル切替用マルチキャストグループ２００（Ｓ１，Ｇ）のデータを不必要に流さないことができる。
【００１６】
次に、チャネル切替用マルチキャスト配信サーバ１について説明する。図２は本発明の一実施形態によるＩＰＴＶシステムが備えるチャネル切替用マルチキャスト配信サーバ１の構成を示すブロック図である。図２において、送受信部１１はマルチキャスト形式のコンテンツデータの送信と受信を行う。ハードディスクドライブや半導体メモリ等で構成されるコンテンツデータ記憶部１２は、送受信部１１によって受信されたコンテンツデータを記憶する。送信データ生成部１３は、コンテンツデータ記憶部１２に格納されているコンテンツデータからチャネル切替用マルチキャストグループ２００（Ｓ１，Ｇ）のコンテンツデータを生成する。
【００１７】
チャネル切替用マルチキャスト配信サーバ１は、より具体的には以下のように動作する。送受信部１１は、コンテンツ配信サーバ２から送信されたマルチキャストグループ１００（Ｓ，Ｇ）のコンテンツデータを直接に受信し、コンテンツデータ記憶部１２に格納する。コンテンツデータはチャネル毎に区別されてコンテンツデータ記憶部１２に格納される。
【００１８】
送信データ生成部１３は、マルチキャストグループ１００（Ｓ，Ｇ）のチャネル毎にコンテンツデータ記憶部１２からコンテンツデータを読み出し、各チャネルに対応したチャネル切替用マルチキャストグループ２００（Ｓ１，Ｇ）のコンテンツデータとして送受信部１１へ出力する。各チャネルのチャネル切替用マルチキャストグループ２００（Ｓ１，Ｇ）は、同じチャネルのマルチキャストグループ１００（Ｓ，Ｇ）と同じマルチキャストアドレスで送信元アドレスが異なる別のマルチキャストグループを有する。
送受信部１１はチャネル切替用マルチキャストグループ２００（Ｓ１，Ｇ）のコンテンツデータを通信ネットワーク４に送信する。
【００１９】
以下、マルチキャストグループ１００（Ｓ，Ｇ）のマルチキャストデータと、そのマルチキャストグループ１００（Ｓ，Ｇ）対応のチャネル切替用マルチキャストグループ２００（Ｓ１，Ｇ）のマルチキャストデータの送受信方法について実施例をあげて説明する。
【実施例１】
【００２０】
図３は、実施例１のマルチキャストグループ１００（Ｓ，Ｇ）のマルチキャストデータと、そのマルチキャストグループ１００（Ｓ，Ｇ）対応のチャネル切替用マルチキャストグループ２００（Ｓ１，Ｇ）のマルチキャストデータとの間の時間軸上の関係を示している。図３に示されるように、チャネル切替用マルチキャストグループ２００（Ｓ１，Ｇ）は、マルチキャストグループ１００（Ｓ，Ｇ）から一定時間だけ遅れている。この遅延は、チャネル切替用マルチキャスト配信サーバ１で付加される。
【００２１】
従って、視聴者装置３は、マルチキャストグループ１００（Ｓ，Ｇ）で配信されるデータよりも過去のデータを、チャネル切替用マルチキャストグループ２００（Ｓ１，Ｇ）で受信する。これにより、視聴者装置３は、マルチキャストグループ１００（Ｓ，Ｇ）及びチャネル切替用マルチキャストグループ２００（Ｓ１，Ｇ）を並行して受信することで、チャネル切替時のデータ蓄積を、従来よりも速い速度で行うことができる。
【００２２】
図３の例では、チャネル切替用マルチキャストグループ２００（Ｓ１，Ｇ）は、マルチキャストグループ１００（Ｓ，Ｇ）から３パケット分遅延している。図３において、マルチキャストグループ１００（Ｓ，Ｇ）で新たなチャネルの４番目から６番目のパケットを受信した時（ｔ１）には、チャネル切替用マルチキャストグループ２００（Ｓ１，Ｇ）で同じチャネルの１番目から３番目のパケットを受信している。つまり、マルチキャストグループ１００（Ｓ，Ｇ）で３個のパケット（４番目から６番目）を受信する時間で、チャネル切替用マルチキャストグループ２００（Ｓ１，Ｇ）から受信するパケットを含めて合計６個のパケット（１番目から６番目）を受信することができ、視聴者装置３においてチャネル切替時のデータ蓄積速度が上がる。これにより、チャネル切替時において、新たなチャネルの再生開始に必要な一定量のデータ蓄積にかかる時間が短縮されるので、新たなチャネルの再生開始までの待ち時間が減り、迅速なチャネル切替を実現することができる。
【実施例２】
【００２３】
続いて実施例２を説明する。
本実施例のチャネル切替用マルチキャスト配信サーバ１では、チャネル切替用マルチキャストグループ２００（Ｓ１，Ｇ）のコンテンツデータを生成する際に送信データ生成部１３は、視聴者装置３で初期再生処理に必要なバッファリング量（Ｂ）と、マルチキャストグループ１００（Ｓ，Ｇ）に対するチャネル切替用マルチキャストグループ２００（Ｓ１，Ｇ）のコンテンツデータの送信速度の比率（Ｒ：バースト転送比率）とに基づいて、チャネル切替用マルチキャストグループ２００（Ｓ１，Ｇ）のコンテンツデータの送信順序を決定する。
【００２４】
送受信部１１はチャネル切替用マルチキャストグループ２００（Ｓ１，Ｇ）のコンテンツデータを通信ネットワーク４に送信する。チャネル切替用マルチキャストグループ２００（Ｓ１，Ｇ）のコンテンツデータは、マルチキャストグループ１００（Ｓ，Ｇ）のコンテンツデータよりも高速に送信される。
図４は、マルチキャストグループ１００（Ｓ，Ｇ）のコンテンツデータと、そのマルチキャストグループ１００（Ｓ，Ｇ）に対応したチャネル切替用マルチキャストグループ２００（Ｓ１，Ｇ）のコンテンツデータとの間の時間軸上の関係を示している。図４に示されるように、チャネル切替用マルチキャストグループ２００（Ｓ１，Ｇ）のコンテンツデータは、１つのマルチキャストグループ１００（Ｓ，Ｇ）のパケットに対して異なる遅延量を持つ３つのパケットから構成されている。
【００２５】
この遅延は、チャネル切替用マルチキャスト配信サーバ１で付加される。また、これら遅延量は、視聴者装置３で初期再生処理に必要なバッファリング量Ｂ（図４の例ではＢ＝１０）およびバースト転送比率Ｒ（図４の例ではＲ＝３）に基づいて、送信データ生成部１３によって計算される。したがって、視聴者装置３は、マルチキャストグループ１００（Ｓ，Ｇ）で配信されるコンテンツデータよりも過去のコンテンツデータをチャネル切替用マルチキャストグループ２００（Ｓ１，Ｇ）で受信する。
【００２６】
視聴者装置３は、マルチキャストグループ１００（Ｓ，Ｇ）およびチャネル切替用マルチキャストグループ２００（Ｓ１，Ｇ）のコンテンツデータを並行して受信することで、以下に示すように、チャネル切替時のデータ蓄積を従来よりも速い速度で行うことができる。図４の例では、チャネル切替用マルチキャストグループ２００（Ｓ１，Ｇ）のパケット「３」、「６」、「８」は、マルチキャストグループ１００（Ｓ，Ｇ）のパケット「１０」からそれぞれ７、４、２パケット分遅延している。
【００２７】
また、チャネル切替用マルチキャストグループ２００（Ｓ１，Ｇ）で送信される各パケットに注目すると、任意のパケットとそのＲ個後に送信されるパケットとの関係は、元のマルチキャストグループ１００（Ｓ，Ｇ）では連続するパケットの関係となっている。言い換えると、マルチキャストグループ１００（Ｓ，Ｇ）で連続する任意の２つのコンテンツデータに対応するチャネル切替用マルチキャストグループ２００（Ｓ１，Ｇ）の２つのコンテンツデータが、バースト転送比率Ｒに基づいた所定の間隔で送信される。例えば、チャネル切替用マルチキャストグループ２００（Ｓ１，Ｇ）のパケット「３」のＲ（Ｒ＝３）個後に送信されるパケットは「４」であり、パケット「６」のＲ個後に送信されるパケットは「７」であり、パケット「８」のＲ個後に送信されるパケットは「９」である。他のパケットについても同様の関係が成り立っている。
【００２８】
図４に示される例（視聴者装置３で初期再生処理に必要なバッファリング量Ｂが１０、バースト転送比率Ｒが３の例）では、マルチキャストグループ１００（Ｓ，Ｇ）のコンテンツデータのみを受信する方法だと、マルチキャストグループ１００（Ｓ，Ｇ）のパケット「１０」（時刻ｔ１）から受信を開始した場合、マルチキャストグループ１００（Ｓ，Ｇ）のパケット「１９」までのパケット（１０個分）をバッファリングしたときに復号処理（再生）を開始することができる。これに対して、本実施形態のようにチャネル切替用マルチキャストグループ２００（Ｓ１，Ｇ）のコンテンツデータも同時に受信した場合、マルチキャストグループ１００（Ｓ，Ｇ）のパケット「１２」（時刻ｔ２）まで受信すれば、チャネル切替用マルチキャストグループ２００（Ｓ１，Ｇ）からも７つのパケットを受信することが可能である。
【００２９】
このため、マルチキャストグループ１００（Ｓ，Ｇ）のコンテンツデータのみをバッファリングする場合に比べて、非常に速く復号処理（再生）を開始することができる。つまり、マルチキャストグループ１００（Ｓ，Ｇ）の３個分のパケット（パケット「１０」から「１２」）を受信する時間で、チャネル切替用マルチキャストグループ２００（Ｓ１，Ｇ）の７個のパケットを含めた合計１０個のパケット（パケット「３」から「１２」）を受信することができ、視聴者装置３においてチャネル切替時のデータ蓄積速度が上がる。これにより、チャネル切替時において、新たなチャネルの再生開始に必要な一定量のデータ蓄積にかかる時間が短縮されるので、新たなチャネルの再生開始までの待ち時間が減り、迅速なチャネル切替を実現することができる。
【００３０】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３１】
【図１】本発明の一実施形態によるＩＰＴＶシステムの構成を示すブロック図である。
【図２】本発明の一実施形態によるＩＰＴＶシステムが備えるチャネル切替用マルチキャスト配信サーバの構成を示すブロック図である。
【図３】本発明の一実施形態におけるパケットの送信順序を示す参考図である。
【図４】本発明の一実施形態におけるパケットの送信順序を示す参考図である。
【符号の説明】
【００３２】
１・・・チャネル切替用マルチキャスト配信サーバ（マルチキャスト配信装置）、２・・・コンテンツ配信サーバ、３・・・視聴者装置（マルチキャスト受信装置）、４・・・通信ネットワーク、１１・・・送受信部（送信手段、受信手段）、１２・・・コンテンツデータ記憶部（記憶手段）、１３・・・送信データ生成部
【図１】
2008263489.tif 000003
【図２】
2008263489.tif 000004
【図３】
2008263489.tif 000005
【図４】
2008263489.tif 000006